(57)【要約】【課題】無勾配排水システムに適した配管の洗浄を行うことの可能な、配管洗浄方法、及び、この配管洗浄方法に用いられる洗浄用治具を提供する【解決手段】横引き管２４を屈曲継手２７から取り外し、排水立て管１２と非接続とし、貯留槽５０の内部側から横引き管２４へワイヤ６４を挿入して、下流側へ挿通させる。そして、挿通されたワイヤ６４の先端部に洗浄部６２を取り付け、ワイヤ６４を貯留槽５０側から引っ張り、洗浄部６２を横引き管２４へ挿入させて上流側へ移動させる。このとき、洗浄部６２は横引き管２４の内壁に当接されつつ移動するので、横引き管２４の内壁に付着した付着物が剥離され、洗浄部６２と共に上流側へ運搬される。洗浄部６２を貯留槽５０側で抜き出すことにより、横引き管２４の内壁から剥離された付着物が貯留槽５０へ排出される。排出された付着物は取り出して回収する。【選択図】図４−２
2009041211.tif 000002
【特許請求の範囲】
【請求項１】
無勾配排水システムに用いられる配管洗浄方法であって、
水回り器具と排水立て管との間に配置された洗浄対象配管と、前記排水立て管とを非接続とし、
前記洗浄対象配管内に、ワイヤを通し、
前記ワイヤに取り付けられ前記洗浄対象配管の内壁に当接可能な洗浄用治具を、前記洗浄対象配管内へ挿入し、
前記洗浄用治具を前記洗浄対象配管内で移動させて前記内壁に付着した付着物を剥離し、
前記剥離された付着物を、前記洗浄対象配管外へ取り出して回収する、
配管洗浄方法。
【請求項２】
前記洗浄用治具は、前記洗浄対象配管の内径と同径又は前記内径よりも大径とされ、弾性変形により前記洗浄対象配管内へ挿入可能とされていること、を特徴とする請求項１に記載の配管洗浄方法。
【請求項３】
前記洗浄用治具は、前記ワイヤを前記洗浄対象配管へ通した後に前記ワイヤへ取り付けられること、を特徴とする請求項１または請求項２に記載の配管洗浄方法。
【請求項４】
前記洗浄用治具は、前記ワイヤの一端部に取り付けられ、前記ワイヤを前記洗浄対象配管内から抜き出す方向に移動させること、を特徴とする請求項１乃至請求項３のいずれか１項に記載の配管洗浄方法。
【請求項５】
前記洗浄用治具は、前記ワイヤの中間部に取り付けられ前記洗浄対象配管内で双方向に移動されること、を特徴とする請求項１乃至請求項３のいずれか１項に記載の配管洗浄方法。
【請求項６】
前記洗浄対象配管は、脱着可能に前記排水立て管と接続されていること、を特徴とする請求項１乃至請求項５のいずれか１項に記載の配管洗浄方法。
【請求項７】
前記無勾配排水システムはサイフォン排水システムであり、前記洗浄対象配管はサイフォン排水管であること、を特徴とする請求項１乃至請求項６のいずれか１項に記載の配管洗浄方法。
【請求項８】
前記サイフォン排水システムは複数の水回り器具からの排水を一時貯留する貯留槽を備え、前記サイフォン排水管は前記貯留槽の下流側に配置されていること、を特徴とする請求項７に記載の配管洗浄方法。
【請求項９】
無勾配排水システムの配管の洗浄に用いられる洗浄用治具であって、
前記配管よりも長尺のワイヤと、
前記配管の内で前記洗浄対象配管の内壁に当接可能な洗浄部と、
前記洗浄部を前記ワイヤへ取り付けるための取付部と、
を備えた洗浄用治具。
【請求項１０】
前記洗浄部は、前記洗浄対象配管の内径と同径又は前記内径よりも大径とされ、弾性変形により前記洗浄対象配管内へ挿入可能とされていること、を特徴とする請求項９に記載の洗浄用治具。
【請求項１１】
前記洗浄部が、球状とされていること、を特徴とする請求項９または請求項１０に記載の洗浄用治具。
【請求項１２】
前記洗浄部が、円板形状とされていること、を特徴とする請求項９または請求項１０に記載の洗浄用治具。
【請求項１３】
前記洗浄部が、各々異なる径を有する複数の円板形状の洗浄体で構成され、少なくとも１の前記洗浄体が前記洗浄対象配管の内壁に当接可能とされていること、を特徴とする請求項９または請求項１０に記載の洗浄用治具。
【請求項１４】
前記洗浄部が、円錐状とされていること、を特徴とする請求項９または請求項１０に記載の洗浄用治具。
【請求項１５】
前記洗浄部が、ブラシで構成されていること、を特徴とする請求項９または請求項１０に記載の洗浄用治具。
【請求項１６】
前記洗浄部が、スポンジ体で構成されていること、を特徴とする請求項９または請求項１０に記載の洗浄用治具。
【発明の詳細な説明】
【技術分野】
【０００１】
本発明は、床スラブに沿って無勾配で配設された無勾配部を有する、サイフォン排水、強制排水（圧送）、真空（バキューム）排水などの、無勾配排水システムに用いられる配管洗浄方法、及び、この配管洗浄方法の実施に使用される洗浄用治具に関する。
【背景技術】
【０００２】
従来から、排水管の洗浄に関して、高圧で水を排水管へ送り込む高圧洗浄方法、ブラシなどを用いて機械的に洗浄する方法、などが知られている。高圧洗浄方法では、排水管内の圧力変動が大きく、トラップでの封水の噴出、破封が発生することから、特に集合住宅においては、複数の区画住居に洗浄の影響があり、単独住居での洗浄が困難ということがある。
【０００３】
一方、ブラシを用いた洗浄方法については、例えば特許文献１に記載の技術のように、配管の内径よりも小径のブラシを用いて配管内を清掃する清掃方法が開示されている。このようなブラシによる清掃方法では、前述の高圧洗浄方法のように水圧を高くする必要がなく、封水の逆流が発生しない。しかしながら、特許文献１に記載の方法では、配管の内径よりも小径のブラシが用いられているため、配管の内壁の汚れを確実に落とすことは難しい。また、落とされた汚れは水で排水立て管の下流へ向かって流されてしまい、下流側の管の排水性に負荷がかかってしまい、さらには、環境に対して悪影響を及ぼすおそれもあった。
【０００４】
ところで、近年、従来の勾配排水システムに代わって、サイフォン排水システムを代表とする無勾配排水システムが提案されている。この無勾配排水システムは、床スラブに沿って無勾配で配設された無勾配部を有しており、この無勾配部中の排水に下流側へ向かう力を作用させて排水を促進する排水システムである。この中の例えば、サイフォン排水システムは、水廻り器具とサイフォン排水管とで構成されており、サイフォン排水管の垂下部をなす竪管にて発生するサイフォン力（負圧力）を利用して、水廻り器具からの排水効率を向上させるシステムである。
【０００５】
このような、無勾配排水システムにおいても、従来の勾配排水システムと同様に、排水管の洗浄が必要である。無勾配排水システムは、従来の勾配排水システムと異なる構造、特徴を有しており、無勾配排水システムに適した洗浄方法や洗浄用治具が求められることになる。
【特許文献１】特開平５−１５６６７８号公報
【発明の開示】
【発明が解決しようとする課題】
【０００６】
本発明は、上記事実に鑑みてなされたものであり、無勾配排水システムに適した配管の洗浄を行うことの可能な、配管洗浄方法、及び、この配管洗浄方法に用いられる洗浄用治具を提供することを目的とする。
【課題を解決するための手段】
【０００７】
本発明の請求項１に記載の配管洗浄方法は、無勾配排水システムに用いられる配管洗浄方法であって、水回り器具と排水立て管との間に配置された洗浄対象配管と、前記排水立て管とを非接続とし、前記洗浄対象配管内に、ワイヤを通し、前記ワイヤに取り付けられ前記洗浄対象配管の内壁に当接可能な洗浄用治具を、前記洗浄対象配管内へ挿入し、前記洗浄用治具を前記洗浄対象配管内で移動させて前記内壁に付着した付着物を剥離し、前記剥離された付着物を、前記洗浄対象配管外へ取り出して回収するものである。
【０００８】
本発明の配管洗浄方法は、無勾配排水システムに用いられる。無勾配配管システムにおいては、水回り器具と排水立て管との間に配置された配管として床スラブに沿って無勾配で配設された無勾配部を有している。また、この無勾配部と排水立て管との間に配設された配管も有している。これらの配管は、他の配管と合流されることがなく、通常、配管径は一定とされている。
【０００９】
本発明の配管洗浄方法では、これらの配管の少なくとも一部を洗浄対象配管とし、まず、洗浄対象配管と排水立て管とを非接続とする。ここで非接続とは、洗浄対象配管から排水立て管への排水が行われなくなるようにすることをいい、洗浄対象配管を完全に取り外す場合のみならず、洗浄対象配管に対して開口を構成する場合なども含む。
【００１０】
次に、洗浄対象配管内に、ワイヤを通し、洗浄用治具を洗浄対象配管内へ挿入する。洗浄用治具は、ワイヤに取り付けられ洗浄対象配管の内壁に当接可能とされている。そして、洗浄用治具を洗浄対象配管内で移動させて内壁に付着した付着物を剥離し、剥離された付着物を、洗浄対象配管外へ取り出して回収する。  本発明の配管洗浄方法によれば、配管径が一定とされた洗浄対象配管を洗浄用治具を用いて簡易かつ効果的に洗浄することができる。
【００１１】
本発明の請求項２に記載の配管洗浄方法は、前記洗浄用治具が、前記洗浄対象配管の内径と同径又は前記内径よりも大径とされ、弾性変形により前記洗浄対象配管内へ挿入可能とされていること、を特徴とする。
【００１２】
このように、洗浄用治具の径を大きくすることにより、洗浄対象配管の内壁に当接される面積が拡大され、より効率的に付着物を剥離することができる。
【００１３】
本発明の請求項３に記載の配管洗浄方法は、前記洗浄用治具が、前記ワイヤを前記洗浄対象配管へ通した後に前記ワイヤへ取り付けられること、を特徴とする。
【００１４】
このように、先にワイヤを洗浄対象配管へ通した後に洗浄用治具を取り付けることにより、容易にワイヤを通すことができる。
【００１５】
本発明の請求項４に記載の配管洗浄方法は、前記洗浄用治具は、前記ワイヤの一端部に取り付けられ、前記ワイヤを前記洗浄対象配管内から抜き出す方向に移動させること、を特徴とする。
【００１６】
このような方向であれば、ワイヤを洗浄対象配管から抜き出す方向に引っ張ることにより、容易に洗浄用治具を移動させることができると共に、剥離した付着物を洗浄対象配管の片方の開口から回収することができる。
【００１７】
本発明の請求項５に記載の配管洗浄方法は、前記洗浄用治具が前記ワイヤの中間部に取り付けられ前記洗浄対象配管内で双方向に移動されること、を特徴とする。
【００１８】
このように洗浄用治具をワイヤの中間部に取り付けることにより、ワイヤの両端を交互に引っ張って容易に洗浄用治具を洗浄対象配管内で移動させることができ、より確実に付着物を剥離することができる。
【００１９】
本発明の請求項６に記載の配管洗浄方法は、前記洗浄対象配管が、脱着可能に前記排水立て管と接続されていること、を特徴とする。
【００２０】
このように、洗浄対象配管が脱着可能とされていることにより、容易に排水立て管と非接続とすることができる。なお、脱着可能な構成として、例えば特開平５−２５６３９０号公報に記載されているようなワンタッチ接続構造の管継手や、袋ナット構造の継手を用いることができる。
【００２１】
本発明の請求項７に記載の配管洗浄方法は、前記無勾配排水システムはサイフォン排水システムであり、前記洗浄対象配管はサイフォン排水管であること、を特徴とする。
【００２２】
本発明の配管洗浄方法は、サイフォン排水管に好適に用いることができる。
【００２３】
本発明の請求項８に記載の配管洗浄方法は、前記サイフォン排水システムは複数の水回り器具からの排水を一時貯留する貯留槽を備え、前記サイフォン排水管は前記貯留槽の下流側に配置されていること、を特徴とする。
【００２４】
本発明の配管洗浄方法は、貯留槽を備えたサイフォン排水システムに適用することにより、貯留槽の部分から洗浄用治具を挿入したり、付着物を回収したりすることができ、容易に実施することができる。
【００２５】
本発明の請求項９に記載の洗浄用治具は、無勾配排水システムの配管の洗浄に用いられる洗浄用治具であって、前記配管よりも長尺のワイヤと、前記配管の内壁に当接可能な洗浄部と、前記洗浄部を前記ワイヤへ取り付けるための取付部と、を備えたものである。
【００２６】
上記構成の洗浄用治具によれば、配管径が一定とされた洗浄対象配管の内壁に付着した付着物を、簡易にかつ効果的に剥離することができる。
【００２７】
なお、本発明の洗浄用治具の洗浄部は、請求項１０に記載のように、前記洗浄対象配管の内径と同径又は前記内径よりも大径とされ、弾性変形により前記洗浄対象配管内へ挿入可能とされていること、を特徴とすることができる。
【００２８】
このように、洗浄用治具の径を大きくすることにより、洗浄対象配管の内壁に当接される面積が拡大され、より効率的に付着物を剥離することができる。
【００２９】
本発明の洗浄用治具の洗浄部は、請求項１１に記載のように、球状とすることにより、配管内で洗浄部が傾いて内壁への当接がされなくなるということがなく、確実に付着物を剥離することができる。
【００３０】
また、本発明の洗浄用治具の洗浄部は、請求項１２に記載のように、円板形状とすることにより、配管の内壁に沿って弾性変形させつつ内壁の付着物を剥離することができる。
【００３１】
また、本発明の洗浄用治具の洗浄部は、請求項１３に記載のように、各々異なる径を有する複数の円板形状の洗浄体で構成され、少なくとも１の前記円板形状の洗浄体が前記洗浄対象配管の内壁に当接可能とされていること、を特徴とすることもできる。
【００３２】
このように、複数の円板形状の洗浄体で構成することにより、内壁に付着した付着物の大きさに対応した洗浄部で、適切に付着物を剥離することができる。
【００３３】
また、本発明の洗浄用治具の洗浄部は、請求項１４に記載のように、円錐状とすることにより、洗浄部を小径側の方向へスムーズに移動させることができる。
【００３４】
また、本発明の洗浄用治具の洗浄部は、請求項１５に記載のように、ブラシで構成することも、請求項１６に記載のように、スポンジ体で構成することもできる。
【発明の効果】
【００３５】
本発明によれば、洗浄対象配管の内壁に当接可能な洗浄用治具を用いて、簡易かつ効果的に洗浄することができる。
【発明を実施するための最良の形態】
【００３６】
以下に、本発明に係る実施形態を図面に基づき説明する。本実施形態では、無勾配排水システムとして、一時貯留方式のサイフォン排水システムを例に説明する（一時貯留方式の排水システムとして、特開２００５−１６２７７０号公報参照）。なお、本発明の配管洗浄方法、洗浄用治具は、他の無勾配排水システムにも適用でき、一時貯留方式以外のサイフォン排水システムにも適用可能である。
【００３７】
まず、本実施形態に係るサイフォン排水システムの全体構成を説明する。図１には、本実施形態に係るサイフォン排水システムの全体構成が概略図にて示されている。
【００３８】
本実施形態に係るサイフォン排水システム１０は、サイフォン力を利用して水廻り器具からの排水を効率よく排出する排水システムである。
【００３９】
本実施形態のサイフォン排水システム１０は、主に複数階で構成された集合住宅などに用いられる。なお、本実施形態では、サイフォン排水システムを、複数階で構成された集合住宅に用いた例について説明する。なお、サイフォン排水システムは、集合住宅に好適に用いられるが、集合住宅以外の戸建て住宅や工場等にも用いることができる。
【００４０】
図１に示すように、サイフォン排水システム１０は、排水を下方へ流す排水立て管１２を備えている。この排水立て管１２は、集合住宅の上下方向（縦方向）に延設され、集合住宅の各階の床スラブ１４を貫いている。
【００４１】
集合住宅の各階の各戸には、複数の水回り器具１６が設けられており、この水回り器具１６には、水回り器具１６から排出される排水を流す排水導入管１８の一端がそれぞれ接続されている。排水導入管１８の他端は、貯留槽５０と接続されている。排水導入管１８は、貯留槽５０側が低くなるように勾配をもって配設されている。
【００４２】
貯留槽５０は、水廻り器具１６からの排水を一時貯留するためのものである。貯留槽５０の内部には、図２に示すように、貯留空間５２が構成されている。貯留空間５２は、仕切部材５４によって３つの個別貯留部５２Ａ、５２Ｂ、５２Ｃに区画されている。前述した水廻り器具１６からの複数の排水導入管１８Ａ〜１８Ｃは、個別貯留部５２Ａ、５２Ｂ、５２Ｃ、へ各々連結されている。また、貯留槽５０の個別貯留部５２Ａ、５２Ｂ、５２Ｃには、各々にサイフォン排水管２２Ａ、２２Ｂ、２２Ｃ（これらをまとめて「サイフォン排水管２２」という）が接続されている。図１に示すように、貯留槽５０の上面は、開閉可能な蓋５１で閉鎖されている。
【００４３】
サイフォン排水管２２は、図１に示すように、床スラブ１４に沿って配設される横引き管２４と、この横引き管２４と連通する竪管２６とを備えて構成されている。横引き管２４は、貯留槽５０と連通され、床スラブ１４上で水平方向に無勾配で配設されている。なお、サイフォン排水システムに限らず、あらゆる無勾配排水システムにおいて、無勾配で配設される部分（無勾配部）には、従来排水方式で規定の勾配を確実に設置するために使われてきた硬管を使用しなくても良く、作業性、コスト性を考慮して可とう管か用いられ、一般的に中間接続継手は用いられない。横引き管２４と連通する竪管２６は、排水立て管１２に沿って、上下方向（鉛直方向）に配設されている。横引き管２４と竪管２６とは、屈曲継手２７を介して接続されている。屈曲継手２７は、竪管２６及び横引き管２４と脱着可能とされている。竪管２６は、合流部継手４０を介して排水立て管１２と連結されている。合流部継手４０は、竪管２６からの排水を排水立て管１２へ合流させる。合流部継手４０と竪管２６とは、管継手４１を介して脱着可能に接続されている。
【００４４】
なお、屈曲継手２７や管継手４１として、ワンタッチ接続構造の管継手や、袋ナット構造の継手を用いることができる。
【００４５】
なお、横引き管２４及び竪管２６は、同径の排水管で構成され、合流部継手４０までは他の排水管と途中で合流することなく、排水立て管１２へ排水を導くようになっている。また、横引き管２４及び竪管２６は、排水が満流で流れるように管の内径が設定されている。横引き管２４内の排水には、サイフォン水頭Ｈｓのエネルギーにより、排水方向へ向かうサイフォン力が作用される。
【００４６】
本発明に係る配管洗浄方法は、サイフォン排水管２２（横引き管２４及び竪管２６）を洗浄対象配管としている。
【００４７】
次に、本発明の洗浄用治具について説明する。
【００４８】
本発明に係る配管洗浄方法に用いられる洗浄用治具６０は、図３に示すように、洗浄部６２、ワイヤ６４、取付部６６を備えている。洗浄部６２は、円板状とされており、弾性変形可能なゴム、樹脂などの弾性体で構成することができる。洗浄部６２の外径Ｒは、サイフォン排水管２２の内径ｒとほぼ同径、またはわずかに大径とされ、弾性変形によってサイフォン排水管２２内に圧入可能とされている。したがって、洗浄部６２は、サイフォン排水管２２内で、内壁に当接可能とされている。洗浄部６２の中央部には、ワイヤ６４を挿通可能な孔６２Ａが構成され、孔６２Ａの外側には取付部６６を嵌め込み可能な凹部６２Ｂが構成されている。
【００４９】
なお、洗浄部６２は、弾性変形されない樹脂、金属などの部材で構成することもできるが、この場合には、その外径はサイフォン排水管２２の内径よりも小径とされてサイフォン排水管２２内に挿入可能とされる。
【００５０】
ワイヤ６４は、洗浄対象となる配管長よりも長尺とされている。ワイヤ６４は、金属、樹脂などで構成することができる。なお、ここでのワイヤは、針金、線材、素線など、細長く配管へ挿通可能なあらゆるものを含んでいる。取付部６６は、孔６２Ａよりも大径の円柱状とされ、軸方向に２分割とされて、中心軸上にワイヤ６４を挟み込むための溝６６Ａが構成されている。溝６６Ａに沿ってワイヤ６４を嵌め込んで、２分割された半円柱を合わせて円柱形状とし、円柱の中央部を潰すことにより、取付部６６がワイヤ６４に固定される。
【００５１】
次に、本実施形態のサイフォン排水管２２を洗浄するための配管洗浄方法について説明する。
【００５２】
まず、図４−１（Ａ）に示すように、横引き管２４を屈曲継手２７から取り外し、排水立て管１２と非接続とする。次に、図４−１（Ｂ）に示すように、貯留槽５０の蓋５１を開放して、貯留槽５０の内部側から横引き管２４へワイヤ６４を挿入し、下流側へ挿通させる。そして、図４−１（Ｃ）に示すように、挿通されたワイヤ６４の先端部に洗浄部６２を取り付ける。
【００５３】
ここでの取り付けは、図５に示すように、洗浄部６２の孔６２Ａにワイヤ６４を通し（図５（Ａ）参照）、２分割された取付部６６の溝６６Ａに沿ってワイヤ６４を嵌め込んで取付部６６で挟み込み（図５（Ｂ）参照）、取付部６６と洗浄部６２とを半円柱を合わせて円柱形状とし、取付部６６を洗浄部６２の凹部６２Ｂへ嵌め込むと共に円柱の中央部を潰してワイヤ６４へ固定する（図５（Ｃ）参照）。
【００５４】
次に、図４−２（Ｄ）に示すように、ワイヤ６４を貯留槽５０側から引っ張り、洗浄部６２を横引き管２４へ挿入させて上流側へ移動させる。このとき、洗浄部６２は横引き管２４の内壁に当接されつつ移動するので、横引き管２４の内壁に付着した付着物が剥離され、洗浄部６２と共に上流側へ運搬される。そして、図４−２（Ｅ）に示すように、洗浄部６２を貯留槽５０側で抜き出すことにより、横引き管２４の内壁から剥離された付着物が貯留槽５０へ排出される。排出された付着物は取り出して回収する。
【００５５】
本実施形態の配管洗浄方法によれば、横引き管２４を取り外すことにより、容易に配管を洗浄することができる。また、洗浄用治具６０を用いることにより、配管内を移動させるという簡単な動作で、効果的に配管内に付着した付着物を剥離することができる。また、剥離した付着物は回収されるので、下水に付着物が流出されることが抑制される。
【００５６】
なお、本実施形態では、ワイヤ６４を横引き管２４へ挿通させた後で洗浄部６２を取り付けたが、予め洗浄部６２は取り付けておき、洗浄部６２が取り付けられていない側のワイヤ６４から横引き管２４へ挿入してもよい。
【００５７】
また、本実施形態では、貯留槽５０側からワイヤ６４を挿入したが、横引き管２４の下流側からワイヤ６４を挿入してもよい。この場合には、洗浄部６２を貯留槽５０側で取り付け、横引き管２４内を上流側から下流側へ移動させて、付着物を横引き管２４の下流側から排出させて回収すればよい。
【００５８】
また、本実施形態での洗浄用治具６０は、洗浄部６２をワイヤ６４の先端部に取り付けた構成としたが、洗浄部６２は、図６に示すように、ワイヤ６４の中間部に取り付ける構成とすることもできる。この場合には、図６（Ａ）に示すように、洗浄部６２をワイヤ６４の中間部に取り付けた後、図６（Ｂ）に示すように洗浄部６２を上流方向Ｘへ移動させたり、図６（Ｃ）に示すように下流方向Ｙへ移動させたりすることを繰り返して、より確実に横引き管２４の内壁に付着した付着物を剥離させることができる。
【００５９】
なお、本実施形態では、横引き管２４の下流側端部を取り外して行う横引き管２４のみの洗浄方法を例に説明したが、竪管２６についても、屈曲継手２７及び管継手４１から取り外して、同様にして洗浄を行うことができる。
【００６０】
また、横引き管２４と竪管２６とを同時に洗浄することもできる。この場合には、図７−１（Ａ）に示すように、横引き管２４と竪管２６とは屈曲継手２７を介して接続させたままにしておき、竪管２６の下流端部を管継手４１から取り外す。そして、図７−１（Ｂ）に示すように、貯留槽５０の蓋５１を開放して、貯留槽５０の内部側から横引き管２４へワイヤ６４を挿入し、下流側へ挿通させ、図７−１（Ｃ）に示すように、挿通されたワイヤ６４の先端部に洗浄部６２を取り付ける。その後、図７−２（Ｄ）に示すように、ワイヤ６４を貯留槽５０側から引っ張り、洗浄部６２を横引き管２４へ挿入させて上流側へ移動させ、図７−２（Ｅ）に示すように、洗浄部６２を貯留槽５０側で抜き出すことにより、横引き管２４の内壁から剥離された付着物を貯留槽５０へ排出させ、回収すればよい。
【００６１】
また、前述のようにサイフォン排水管２２を完全に取り外して排水立て管１２と非接続とする必要はなく、横引き管２４や竪管２６に洗浄用治具を挿入でかつ、付着物を回収可能な開閉可能な開口を構成して、洗浄時にこの開口を開放して洗浄してもよい。
【００６２】
また、本実施形態では、洗浄用治具６０の洗浄部６２を円板状としたが、洗浄部としては、図８（Ａ）に示すように、球状の洗浄部７０としてワイヤ６４を通すための孔７０Ａ及び球状の取付部６７を嵌め込むための凹部７０Ｂを構成してもよい。
【００６３】
また、洗浄用治具６０の洗浄部は、図８（Ｂ）に示すように、円板状とした中央部の４箇所に開口７１Ａを構成した洗浄部７１としてもよい。
【００６４】
また、洗浄用治具６０の洗浄部は、図８（Ｃ）に示すように、中空円錐状の洗浄部７２としてもよい。
【００６５】
また、洗浄用治具６０の洗浄部は、図９（Ａ）に示すように、異なる外径を有する円板７３を離間させて複数個（図９（Ａ）では３個）ワイヤ６４の長手方向に配置してもよい。この場合には、少なくとも１の円板の外径が洗浄対象配管の内径よりも大径であればよい。
【００６６】
また、洗浄用治具６０の洗浄部は、図９（Ｂ）に示すように、ブラシ７４で構成してもよいし、図９（Ｃ）に記載のように、スポンジ７５で構成してもよい。
【００６７】
また、本実施形態では、貯留槽５０を有する一時貯留方式の例を用いて説明したが、図１０に示すように、貯留槽の配置されないサイフォン排水システムに本発明を適用することもできる。この場合には、水廻り器具１６と横引き管２４とを脱着可能な管継手４５で接続しておき（図１０（Ａ）参照）、洗浄の際には、図１０（Ｂ）に示すように、横引き管２４を管継手４５から取り外して、ワイヤ６４を挿入して前述と同様の手順で洗浄すればよい。
【図面の簡単な説明】
【００６８】
【図１】本実施形態に係るサイフォン排水システムの全体構成を示す概略図である。
【図２】本実施形態に係る貯留槽の内部、及びサイフォン排水管との接続部を示す斜視図である。
【図３】本実施形態に係る洗浄用治具の分解斜視図である。
【図４−１】本実施形態に係る配管洗浄方法の手順（Ａ）〜（Ｃ）を示す説明図である。
【図４−２】本実施形態に係る配管洗浄方法の手順（Ｄ）〜（Ｅ）を示す説明図である。
【図５】本実施形態に係る洗浄用治具の洗浄部の取り付け手順（Ａ）〜（Ｃ）を示す説明図である。
【図６】本実施形態に係る配管洗浄方法の変形例の手順（Ａ）〜（Ｃ）を示す説明図である。
【図７−１】本実施形態に係る配管洗浄方法の変形例の手順（Ａ）〜（Ｃ）を示す説明図である。
【図７−２】本実施形態に係る配管洗浄方法の変形例の手順（Ｄ）〜（Ｅ）を示す説明図である。
【図８】本実施形態に係る洗浄用治具の変形例（Ａ）〜（Ｃ）の図である。
【図９】本実施形態に係る洗浄用治具の変形例（Ａ）〜（Ｃ）の図である。
【図１０】本実施形態の変形例のサイフォン排水システムの配管洗浄手順を示す説明図である。
【符号の説明】
【００６９】
１０   サイフォン排水システム
１２   排水立て管
１４   床スラブ
１６   水廻り器具
２２   サイフォン排水管
２４   横引き管
２６   竪管
２７   屈曲継手
４０   合流部継手
４１   管継手
５０   貯留槽
５１   蓋
６０   洗浄用治具
６２   洗浄部
６４   ワイヤ
６６   取付部
７０   洗浄部
７１   洗浄部
７２   洗浄部
７４   ブラシ
７５   スポンジ
【図１】
2009041211.tif 000003
【図２】
2009041211.tif 000004
【図３】
2009041211.tif 000005
【図４−１】
2009041211.tif 000006
【図４−２】
2009041211.tif 000007
【図５】
2009041211.tif 000008
【図６】
2009041211.tif 000009
【図７−１】
2009041211.tif 000010
【図７−２】
2009041211.tif 000011
【図８】
2009041211.tif 000012
【図９】
2009041211.tif 000013
【図１０】
2009041211.tif 000014